(57)【特許請求の範囲】
【請求項１】
パーソナルコンピュータに収容され、前記パーソナルコンピュータの基板からの駆動信号が入力される第１のコネクタを有する記憶媒体の駆動装置の設置構造であって、
前記第１のコネクタは、前記記憶媒体の駆動装置の端面に形成され、
前記記憶媒体の駆動装置の、前記第１のコネクタの近傍に形成された固定用板金と、
前記パーソナルコンピュータのシャーシに一体的に設けられた前記記憶媒体の駆動装置を収容する際にそのガイドとなる２つ設けられたリブと、
前記基板に設けられた、前記固定用板金が螺着されるねじ受けと、
前記基板に設けられた、前記記憶媒体の駆動装置が前記パーソナルコンピュータに収容された状態のときに前記第１のコネクタと嵌合する第２のコネクタと、
を有することを特徴とする記憶媒体の駆動装置の設置構造。
【請求項２】
パーソナルコンピュータに収容され、前記パーソナルコンピュータの基板からの駆動信号が入力される第１のコネクタを有する記憶媒体の駆動装置の設置構造であって、
前記第１のコネクタは、前記記憶媒体の駆動装置の端面に形成され、
前記記憶媒体の駆動装置の、前記第１のコネクタの近傍に形成された固定用板金と、
前記パーソナルコンピュータのシャーシに設けられた前記記憶媒体の駆動装置を収容する際にそのガイドとなる２つ設けられたリブと、
前記基板に設けられた、前記固定用板金が螺着されるねじ受けと、
前記基板に設けられた、前記記憶媒体の駆動装置が前記パーソナルコンピュータに収容された状態のときに前記第１のコネクタと嵌合する第２のコネクタと、
を有し、
前記基板が前記２つ設けられたリブ間にも存在し、その上面に形成された絶縁シートを備えることを特徴とする記憶媒体の駆動装置の設置構造。
【請求項３】
請求項２記載の記憶媒体の駆動装置の設置構造において、
前記基板と前記絶縁シートとの間に形成された基板上面の周囲を囲む枠を具備することを特徴とする記憶媒体の駆動装置の設置構造。
【請求項４】
パーソナルコンピュータに収容され、前記パーソナルコンピュータの基板からの駆動信号が入力される第１のコネクタを有する記憶媒体の駆動装置の設置方法であって、
記憶媒体の駆動装置に形成される前記第１のコネクタを、前記記憶媒体の駆動装置の端面に形成するとともに前記第１のコネクタの近傍に固定用板金を形成し、
前記パーソナルコンピュータのシャーシに、前記記憶媒体の駆動装置を収容する際にそのガイドとなる２つのリブを一体的に設け、
前記基板に、前記固定用板金が螺着されるねじ受けと、前記記憶媒体の駆動装置が前記パーソナルコンピュータに収容された状態のときに前記第１のコネクタと嵌合する第２のコネクタと、を形成することを特徴とする記憶媒体の駆動装置の設置方法。
【請求項５】
パーソナルコンピュータに収容され、前記パーソナルコンピュータの基板からの駆動信号が入力される第１のコネクタを有する記憶媒体の駆動装置の設置方法であって、
記憶媒体の駆動装置に形成される前記第１のコネクタを、前記記憶媒体の駆動装置の端面に形成するとともに前記第１のコネクタの近傍に固定用板金を形成し、
前記パーソナルコンピュータのシャーシに、前記記憶媒体の駆動装置を収容する際にそのガイドとなる２つのリブを設け、
前記基板に、前記固定用板金が螺着されるねじ受けと、前記記憶媒体の駆動装置が前記パーソナルコンピュータに収容された状態のときに前記第１のコネクタと嵌合する第２のコネクタと、を形成し、
前記基板を前記２つ設けられたリブ間に存在させ、その上面に絶縁シートを形成することを特徴とする記憶媒体の駆動装置の設置方法。
【請求項６】
請求項５記載の記憶媒体の駆動装置の設置方法において、
前記基板と前記絶縁シートとの間に基板上面の周囲を囲む枠を形成することを特徴とする記憶媒体の駆動装置の設置方法。
【発明の詳細な説明】
【０００１】
【発明の属する技術分野】
本発明は、パーソナルコンピュータに収容される、ＣＤ−ＲＯＭ、ＤＶＤ−ＲＯＭ、フレキシブルディスク等の記憶媒体の駆動装置の設置構造および設置方法に関する。
【０００２】
【従来の技術】
近年、パーソナルコンピュータは、その利用範囲が拡大されており、パーソナルコンピュータ上にて様々な機能が実現されている。その１つとして、オーディオビジュアル機能が搭載されたパーソナルコンピュータが開発されており、パーソナルコンピュータを用いての音楽や映像の鑑賞が可能とされている。
【０００３】
音楽や映像の鑑賞では、ＣＤ−ＲＯＭやＤＶＤ−ＲＯＭを再生することが挙げられる。
【０００４】
従来、ＣＤ−ＲＯＭやＤＶＤ−ＲＯＭ、および、フレキシブルディスク等の記憶媒体の駆動装置の設置は、ガイドレールやブラケットを用いて行われていた。
【０００５】
図６は、従来行われているブラケットを用いたＤＶＤ−ＲＯＭ駆動装置の設置構造を示す図である。
【０００６】
ＤＶＤアッセンブリ６０１は、ねじ６０５によりブラケット６０２に取り付けられ、該ブラケット６０２が筐体のシャーシ（不図示）にねじ止めされ、これによりＤＶＤアッセンブリ６０１はシャーシに固定される。ＤＶＤアッセンブリ６０１には駆動信号が入力されるコネクタ６０４が設けられており、ケーブル６０６を介してパーソナルコンピュータから送られてくる駆動信号に応じて動作を行っていた。
【０００７】
ガイドレールを用いる場合にも同様であり、ガイドレールがシャーシとＤＶＤアッセンブリとの間に介在する形態にてＤＶＤアッセンブリをシャーシに固定することが行われていた。
【０００８】
これらのガイドレールやブラケットを用いる設置構造は、同じＤＶＤアッセンブリを複数の機種への搭載を容易とするためのものであり、複数の機種に対応してブラケットやガイドレールを変更することにより、同じＤＶＤアッセンブリが複数の機種に搭載されていた。
【０００９】
【発明が解決しようとする課題】
上述した従来の記憶媒体駆動装置の設置構造においては、ガイドレールやブラケットを記憶媒体駆動装置とシャーシとの間に介在させ、記憶媒体駆動装置と一体化されたガイドレールやブラケットをシャーシに取り付けることが行われていた。
【００１０】
ガイドレールやブラケットをシャーシに取り付けることは複数のねじを用いて行われるが、記憶媒体駆動装置の下部には、基板が実装されており、実装される基板はガイドレールやブラケットをシャーシに取り付けるねじを考慮し、これを避ける形状としなければならないため、設計が煩雑となり、手間がかかるものとなっていた。
【００１１】
また、ガイドレールやブラケットを用いること自体が部品点数を増加させることとなるため、重量の増加、および構成の複雑化を招来するものとなっていた。また、構成が複雑であることから取り付けに手間がかかるものとなっていた。
【００１２】
本発明は上述したような従来の技術が有する問題点に鑑みてなされたものであって、部品点数を少ないものとし、重量を低減すること、構成を簡略化することができ、取付けを容易とすることのできる記憶媒体駆動装置の設置構造および設置方法を実現することを目的とする。
【００１３】
【課題を解決するための手段】
本発明の記憶媒体の駆動装置の設置構造は、パーソナルコンピュータに収容され、前記パーソナルコンピュータの基板からの駆動信号が入力される第１のコネクタを有する記憶媒体の駆動装置の設置構造であって、
前記第１のコネクタは、前記記憶媒体の駆動装置の端面に形成され、
前記記憶媒体の駆動装置の、前記第１のコネクタの近傍に形成された固定用板金と、
前記パーソナルコンピュータのシャーシに一体的に設けられた前記記憶媒体の駆動装置を収容する際にそのガイドとなる２つ設けられたリブと、
前記基板に設けられた、前記固定用板金が螺着されるねじ受けと、
前記基板に設けられた、前記記憶媒体の駆動装置が前記パーソナルコンピュータに収容された状態のときに前記第１のコネクタと嵌合する第２のコネクタと、
を有することを特徴とする。
【００１４】
本発明の他の形態による記憶媒体の駆動装置の設置構造は、パーソナルコンピュータに収容され、前記パーソナルコンピュータの基板からの駆動信号が入力される第１のコネクタを有する記憶媒体の駆動装置の設置構造であって、
前記第１のコネクタは、前記記憶媒体の駆動装置の端面に形成され、
前記記憶媒体の駆動装置の、前記第１のコネクタの近傍に形成された固定用板金と、
前記パーソナルコンピュータのシャーシに設けられた前記記憶媒体の駆動装置を収容する際にそのガイドとなる２つ設けられたリブと、
前記基板に設けられた、前記固定用板金が螺着されるねじ受けと、
前記基板に設けられた、前記記憶媒体の駆動装置が前記パーソナルコンピュータに収容された状態のときに前記第１のコネクタと嵌合する第２のコネクタと、
を有し、
前記基板が前記２つ設けられたリブ間にも存在し、その上面に形成された絶縁シートを備えることを特徴とする。
【００１５】
さらに、前記基板と前記絶縁シートとの間に形成された基板上面の周囲を囲む枠を具備することとしてもよい。
【００１６】
本発明の記憶媒体の駆動装置の設置方法は、パーソナルコンピュータに収容され、前記パーソナルコンピュータの基板からの駆動信号が入力される第１のコネクタを有する記憶媒体の駆動装置の設置方法であって、
記憶媒体の駆動装置に形成される前記第１のコネクタを、前記記憶媒体の駆動装置の端面に形成するとともに前記第１のコネクタの近傍に固定用板金を形成し、
前記パーソナルコンピュータのシャーシに、前記記憶媒体の駆動装置を収容する際にそのガイドとなる２つのリブを一体的に設け、
前記基板に、前記固定用板金が螺着されるねじ受けと、前記記憶媒体の駆動装置が前記パーソナルコンピュータに収容された状態のときに前記第１のコネクタと嵌合する第２のコネクタと、を形成することを特徴とする。
【００１７】
本発明の他の形態による記憶媒体の駆動装置の設置方法は、パーソナルコンピュータに収容され、前記パーソナルコンピュータの基板からの駆動信号が入力される第１のコネクタを有する記憶媒体の駆動装置の設置方法であって、
記憶媒体の駆動装置に形成される前記第１のコネクタを、前記記憶媒体の駆動装置の端面に形成するとともに前記第１のコネクタの近傍に固定用板金を形成し、
前記パーソナルコンピュータのシャーシに、前記記憶媒体の駆動装置を収容する際にそのガイドとなる２つのリブを設け、
前記基板に、前記固定用板金が螺着されるねじ受けと、前記記憶媒体の駆動装置が前記パーソナルコンピュータに収容された状態のときに前記第１のコネクタと嵌合する第２のコネクタと、を形成し、
前記基板を前記２つ設けられたリブ間に存在させ、その上面に絶縁シートを形成することを特徴とする。
【００１８】
この場合、前記基板と前記絶縁シートとの間に基板上面の周囲を囲む枠を形成することとしてもよい。
【００２０】
さらに、前記基板と前記絶縁シートとの間に基板上面の周囲を囲む枠を形成することとしてもよい。
【００２１】
【発明の実施の形態】
次に、本発明の実施例について図面を参照して説明する。
【００２２】
図１は本発明によるパーソナルコンピュータの一実施例の外観を示す斜視図である。
【００２３】
本実施例のパーソナルコンピュータ１００は、ディスプレイ１０１と、キーボード１０２と、ディスプレイ１０１に表示されたポインタを移動させるためのトラックパット１０３とＤＶＤフロントパネル１０４が設けられている。
【００２４】
ＤＶＤフロントパネル１０４は図中の矢印方向に移動するとトレイが開けられた状態となり、ＤＶＤディスクの交換が可能となる。
【００２５】
図２は本実施例で用いられるＤＶＤアッセンブリ２０１の外観を示す斜視図である
反フロントパネル側となる背面には、駆動信号が入力されるコネクタ２０２と固定用板金２０３が設けられている。図３にはこの他に、固定用板金２０３に開けられたねじ穴に挿通するねじ２０４が示されている。
【００２６】
図３は、パーソナルコンピュータ１００のシャーシ３０１のＤＶＤアッセンブリ２０１が載置される部分を示す図であり、図３（ａ）は上面図、図３（ｂ）は図３（ａ）中のＡ−Ａ断面図である。図４および図５はＤＶＤアッセンブリ２０１が搭載された状態を示す斜視図であり、図４はフロントパネル側から見た斜視図、図５は反フロントパネル側となる背面から見た斜視図である。
【００２７】
図３に示すように、本実施例のシャーシ３０１には、ＤＶＤアッセンブリ２０１の幅に合わせたリブ３０２，３０３が形成されている。基板３０４は、ＤＶＤアッセンブリ２０１搭載時にその下部となるリブ３０２，３０３間にも存在するが、リブ３０２，３０３間の基板３０４の上部には、その基板上面の周囲を囲む枠３０７が形成され、さらにその上に絶縁シート３０８が形成されている。絶縁シートは基板３０４上の電気部品とＤＶＤアッセンブリ２０１との絶縁を図るものであり、枠３０７はＤＶＤアッセンブリ２０１と絶縁シート３０８とが密着しないものとするために設けられている。枠３０７を設けることにより、ＤＶＤアッセンブリ２０１と絶縁シート３０８との間に空間が発生し、基板３０４にて発生した熱が拡散して局部的に集中しないものとなっている。
【００２８】
本実施例において、ＤＶＤアッセンブリ２０１はリブ３０２，３０３間に挿入される。基板３０４上に設けられたコネクタ３０５にＤＶＤアッセンブリ２０１のコネクタ２０２が突き当たって各コネクタが嵌合状態となると、ねじ２０４を締めこんでねじ受け３０６と螺合させて固定用板金２０３をねじ受け３０６に固定する。ねじ受け３０６は基板３０４に固設されており、これにより、ＤＶＤアッセンブリ２０１が基板３０４に固定される。
【００２９】
ＤＶＤアッセンブリ２０１は図３（ａ）における上下方向にトレイが移動するため、各コネクタの嵌合状態を維持するためには、上記のトレイの移動方向について基板３０４との接続を規制することが重要となるが、ねじ受け３０６とコネクタ３０５とは基板３０４上の近接した位置に設けられているため、各コネクタの嵌合状態は良好に維持されるものとなっている。
【００３０】
上記のように構成される本実施例においては、従来必要とされていた板金やガイドレール、ケーブルを必要とすることなく、シャーシに一体的に形成されたリブ、基板に形成されたコネクタおよびねじ受けを用いて位置決めを行う構成であるため、ＤＶＤアッセンブリの取付けに具体的に必要となる部品としてはねじ１本のみであり、部品点数が少ないものとなり、重量の低減、構成の簡略化、取付けを容易とすることができるものとなっている。
【００３１】
なお、以上説明した実施例においては、シャーシに形成されたリブをガイドとして用いる構成を示したが、シャーシ、または基板に取り付けられる他の構成部材、例えば、ハードディスクなどの側面をガイドとして用いることとしてもよい。このような構成とすることによりシャーシにリブを形成する必要がなくなり、上記効果をさらに向上したものとすることができる。
【００３２】
【発明の効果】
本発明は以上説明したように構成されているので、部品点数を少ないものとし、重量を低減すること、構成を簡略化することができ、取付けを容易とすることができる効果がある。
【図面の簡単な説明】
【図１】本発明によるパーソナルコンピュータの一実施例の外観を示す斜視図である。
【図２】図１に示した実施例で用いられるＤＶＤアッセンブリ２０１の外観を示す斜視図である。
【図３】パーソナルコンピュータ１００のシャーシ３０１のＤＶＤアッセンブリ２０１が載置される部分を示す図であり、（ａ）は上面図、（ｂ）は（ａ）中のＡ−Ａ断面図である。
【図４】ＤＶＤアッセンブリ２０１が搭載された状態を示す斜視図であり、フロントパネル側から見た斜視図である。
【図５】ＤＶＤアッセンブリ２０１が搭載された状態を示す斜視図であり、反フロントパネル側となる背面から見た斜視図である。接続ピン３０１の配置状態を示す斜視図である。
【図６】従来行われているブラケットを用いたＤＶＤ−ＲＯＭ駆動装置の設置構造を示す図である。
【符号の説明】
１００    パーソナルコンピュータ
１０１    ディスプレイ
１０２    キーボード
１０３    トラックパッド
１０４    ＤＶＤフロントパネル
２０１    ＤＶＤアセンブリ
２０２    コネクタ
２０３    固定用板金
２０４    ねじ
３０１    シャーシ
３０２，３０３    リブ
３０４    基板
３０５    コネクタ
３０６    ねじ受け
３０７    枠
３０８    絶縁シート
【図１】
0003686849.tif 000002
【図２】
0003686849.tif 000003
【図３】
0003686849.tif 000004
【図４】
0003686849.tif 000005
【図５】
0003686849.tif 000006
【図６】
0003686849.tif 000007